(57)【特許請求の範囲】
【請求項１】
躯体開口部に複数枚のルーバー羽根を開閉揺動自在に枢支してなる可動式ルーバー装置であって、前記ルーバー羽根の端部を、躯体に固定される固定部材に揺動自在に軸承し、かつ該固定部材に並列して移動自在に配したスライド部材に作動アームを介してルーバー羽根の端部を連結して、スライド部材のスライド移動に伴う作動アームの揺動でルーバー羽根を開閉揺動せしめる構成とするにあたり、作動アームは、前記並列に配したスライド部材および固定部材の内側に配され、作動アームとルーバー羽根とは、固定部材に回動自在に軸承した支軸に一体に連結されたものとし、前記ルーバー羽根における長手方向両端部に位置して支軸軸承部の端部よりも外側には、閉鎖姿勢に揺動変姿したとき固定部材に当接して封止する封止部が伸長する状態で一体形成されている可動式ルーバー装置。
【請求項２】
請求項１において、ルーバー羽根封止部と固定部材との当接部には、該当接部をシールするためのシール材が介装されている可動式ルーバー装置。
【請求項３】
請求項１または２において、閉鎖姿勢の状態で隣接するルーバー羽根の端縁部同志のあいだには、該端縁部同志をシールするためのシール材が介装されている可動式ルーバー装置。
【発明の詳細な説明】
【０００１】
【発明の属する技術分野】
本発明は、建築物の開口部や開閉用扉体の一部等に配される可動式ルーバー装置の技術分野に属するものである。
【０００２】
【従来の技術】
一般に、この種可動式ルーバー装置は、複数枚のルーバー羽根の長手方向両端部を、躯体に固定される固定部材に揺動自在に軸承し、固定部材に対してルーバー羽根を揺動することに伴い開放姿勢と閉鎖姿勢とに揺動変姿せしめる構成となっており、該揺動変姿によりルーバー羽根同志のあいだに形成される隙間を大小変化せしめて、通風ができる状態でありながら採光量を自由に調整できるように構成されている。
ところで、近年、建築物のホール等に採光手段としてトップライトを設けると共に、可動式ルーバー装置を併設して、ホール内に自然光を存分に取り入れた明るい自然な状態にしたり、自然光を遮断して室内灯による効果が出せる状態にできるようにしたり等して、ホールを多目的に使用できるようにすることが提唱されている。
【０００３】
【発明が解決しようとする課題】
しかるに、ルーバー羽根は、自由な換気状態で採光量を調整できる機能を優先する構成となっているため、固定部材とルーバー羽根両端部とのあいだや隣接するルーバー羽根の端縁部同志のあいだに隙間が僅かではあるが残されている。このため、このような可動式ルーバー装置を、高度な遮光機能（封止機能）を備えた開閉体として用いる場合には、前記箇所の隙間を閉塞する必要があり、このままでは採用できないという問題があり、ここに本発明が解決しようとする課題があった。
【０００４】
【課題を解決するための手段】
本発明は、上記の如き実情に鑑み、これらの課題を解決することを目的として創作されたものであって、請求項１の発明は、躯体開口部に複数枚のルーバー羽根を開閉揺動自在に枢支してなる可動式ルーバー装置であって、前記ルーバー羽根の端部を、躯体に固定される固定部材に揺動自在に軸承し、かつ該固定部材に並列して移動自在に配したスライド部材に作動アームを介してルーバー羽根の端部を連結して、スライド部材のスライド移動に伴う作動アームの揺動でルーバー羽根を開閉揺動せしめる構成とするにあたり、作動アームは、前記並列に配したスライド部材および固定部材の内側に配され、作動アームとルーバー羽根とは、固定部材に回動自在に軸承した支軸に一体に連結されたものとし、前記ルーバー羽根における長手方向両端部に位置して支軸軸承部の端部よりも外側には、閉鎖姿勢に揺動変姿したとき固定部材に当接して封止する封止部が伸長する状態で一体形成されている可動式ルーバー装置である。
これによって、ルーバー羽根の閉鎖姿勢において、ルーバー羽根と固定部材とのあいだの隙間が封止されてルーバー装置の封止性を高めることができる。
請求項２の発明は、請求項１において、ルーバー羽根封止部と固定部材との当接部には、該当接部をシールするためのシール材が介装されている可動式ルーバー装置である。
請求項３の発明は、請求項１または２において、閉鎖姿勢の状態で隣接するルーバー羽根の端縁部同志のあいだには、該端縁部同志をシールするためのシール材が介装されている可動式ルーバー装置である。このようにすることによってルーバー装置の封止性をより一層確保できる。
【０００５】
【発明の実施の形態】
次に、本発明の実施の形態を図１〜図８の図面に基づいて説明する。
図面において、１は建築物の天井部に設けられたトップライトであって、該トップライト１は、屋根部に配されるグローブ２と、該グローブ２とのあいだに配されるパイプ材３とにより枠組されたトラス構造体の上部に設けられている。つまり、点在するグローブ２の上面にはグローブ２を連結する状態で横方向に長い構造体４が組込まれ、さらに構造体４の上部には、グローブ２に対向する部位に位置して高さ調整可能なファスナー５が組込まれている。そして、ファスナー５には、縦方向に点在するものを連結する状態で縦枠材６が上側から組込まれている。前記縦枠材６は、ファスナー５に外嵌する基部７と、該基部７の上部の方立部８とが一体的に連結されたものに形成されている。ここで、縦枠材６としては、基部７と方立部８とが一体に型成形されたものであっても勿論よい。
一方、９は横枠材であって、該横枠材９は、縦枠材６の上部に位置する方立部８の側面に直交状に突当てられるように組込まれ、これによってトラス構造体の上部に小さい矩形状の空隙部が区画形成されるようになっている。
【０００６】
そして、前記各空隙部に採光板１０を嵌め込むことでトップライト１が構成されるが、採光板１０は、その四周縁部が、縦枠材方立部８および横枠材９の各上面にそれぞれ配される目板８ａと、縦枠材方立部８および横枠材９の長手方向側面の各上部側に位置して形成される支持片８ａ、９ｂとのあいだに、気密材１０ａを介した状態で嵌合組込みされ、採光板１０が縦、横枠材６、９の上部側に位置する状態で配されている。
因みに、採光板１０はガラス板、プラスティック板等の透光性のある板材で形成されている。
【０００７】
さて、本発明が実施された可動式ルーバー装置Ｒは採光板１０の下方、即ち採光板１０の屋内側に位置し、隣接する一対の縦枠材６と、隣接する一対の構造体４とで形成される矩形の空隙部の下部位に配されている。ここで、本実施の形態のトップライト１には、該トップライト１を覆うように複数の可動式ルーバー装置Ｒが並列して配されているが、何れのものも同様の構成となっているので、本実施の形態では、図１に示される部位に配された可動式ルーバー装置Ｒの構成について説明し、他のものについては省略する。
【０００８】
前記縦枠材方立部８の長手方向側面の下部には、上下一対のスライダー支持片８ｃが略全長に亘って一体形成されていると共に、基部７の長手方向側面には、前記スライダー支持片８ｃの下方に位置する状態で上下一対の係合支持片７ａが略全長に亘って一体形成されている。一方、１１は本発明のスライド部材に相当するものであって、該スライド部材１１は長尺体の裏面に適宜間隔を存してスライダー１２が固定されたものになっている。そして、該スライダー１２をスライダー支持片８ｃに長手方向スライド移動自在に嵌合支持させることによって、スライド部材１１が縦枠材方立部８に対し長手方向への移動が円滑にできるように構成されている。ここで、前記スライダー１２は、耐摩耗性を有し、かつ滑り抵抗の少ない樹脂材等により形成されており、スライダー１２の上下面に形成された凹部１２ａを上下のスライダー支持片８ｃに係合させることで縦枠材６に支持される構成となっている。さらに、１３は、一対の縦枠材６のあいだに横方向を向いて配される構造体４に、ブラケット４ａを介して取付けられるシリンダ装置であって、該シリンダ装置１３のシリンダ１３ａは、前記一対の縦枠材６に設けられたスライド部材１１の一端部に連結部材１３ｂを介してそれぞれ連結され、これによって、各スライド部材１１が、シリンダ装置１３の作動に伴うシリンダ１３ａの伸縮に基づいて長手方向に所定の移動を行えるように設定されている。
【０００９】
一方、１４は長尺状の固定部材であって、該固定部材１４は断面略コ字状に形成され、上下の両脚片１４ａを、縦枠材基部７の上下の係合支持片７ａに係合支持せしめると共に、固定部材１４の一端部を、構造体４に固定される固定金具４ｂにビス４ｃを用いて固定することで縦枠材６に固定状に組込まれ、上側に位置するスライド部材１１に対して並列する状態で配されている。因みに、固定部材１４の組込みは、両脚片１４ａの一方の端部を係合支持片７ａの他方の端部に係合させ、この状態からスライドさせることによって組込まれるように構成されており、このように固定部材１４を前記スライド部材１１と同様にスライド組込みできる構成として、これら各部材１１、１４の縦枠材６への組込み作業が容易にできるように配慮されている。さらに、固定部材１４の下側脚辺１４ａには、空隙部側に向けて突片１４ｂが形成されるが、該突片１４ｂは下側が開口した凹溝状に形成されており、ここに第一シール材１４ｃが下面が露出する状態で配されている。
【００１０】
１５は前記縦枠材６に適宜間隔を存して直交状（横向き）に取り付けられるルーバー羽根であって、これら各ルーバー羽根１５は、長尺状の羽根本体１５ａと、該羽根本体１５ａの縦方向（スラット幅方向）略中央部に位置し、一側方（後述する閉鎖姿勢で上面となる側）に向けて鉛直状に突出する横方向に長いリブ片１５ｂと、羽根本体１５ａの縦方向一端縁部に一側方に向けて折曲する折曲部１５ｃを介して形成される軸承部１５ｄとが一体形成されたものとなっており、さらに、前記ルーバー羽根リブ片１５ｂの突出先端部にはビスポケット１５ｅが形成されている。そして、ルーバー羽根１５の長手方向両端部（両側部）には、ビスポケット１５ｅ形成部位に対向して略Ｌ字状に形成された作動アーム１６の一端部１６ａがそれぞれあてがわれ、ビス１６ｂによって螺合されている。そしてこの作動アーム１６は、図２、図７から明らかなように、前記並列に配したスライド部材１１および固定部材１１に対して縦枠材６がある側とは反対側（内側）に配されている。
さらに、各作動アーム１６のコーナー部には貫通孔１６ｃが穿設されるが、これら貫通孔１６ｃはルーバー羽根軸承部１５ｄに形成される貫通孔１５ｆと連通状に位置合わせされている。そして、各作動アーム１６側から支軸１７の基端部を前記貫通孔１６ｃ、１５ｆにそれぞれ差込み（挿通）、これら支軸１７の先端部を、前記対向する一対の固定部材１４に形成された軸支部１４ｄにブッシュ１４ｅを介して回動自在に軸承されており、これによって、ルーバー羽根１５は対向する一対の縦枠材６に対して支軸１７と一体の状態で回動自在（揺動自在）に組込まれるように設定されている。
ここで、支軸１７は、面取り状の切欠き面１７ａが切欠き形成される一方、作動アーム貫通孔１６ｃとルーバー羽根貫通孔１５ｆとは、共に面取り状の支軸１７と略同形に形成されている結果、支軸１７を各貫通孔１６ｃ、１５ｆに挿通して軸承部１５ｄ外径からビス１７ｂ止め固定することで、ルーバー羽根１５と作動アーム１６そして支軸１７とが一体に連結され、固定部材１４に対して支軸１７が回動した場合に、該支軸１７を支点とした状態でルーバー羽根１５と作動アーム１６とが一体に回動する設定となっている。
【００１１】
また、前記作動アーム１６の他端部は、他部位よりも縦枠材６側（外側）に位置すべく段差部１６ｄに形成され、固定部材１４の上部に並列状に配されるスライド部材１１に近接対向している。そして、スライド部材１１には上下方向に長い長孔１１ａが形成され、該長孔１１ａに、前記作動アーム段差部１６ｄに形成された貫通孔１６ｅを遊嵌、挿通するピン軸１６ｆの挿通先端が移動自在かつ抜止め状に遊嵌されている。
そして、図６（Ａ）に示すように、ルーバー羽根１５が空隙部を閉鎖するべくルーバー羽根本体１５ａが略水平となる閉鎖姿勢（全閉姿勢）において、作動アーム１６の段差部１６ｄは右上方向を向いており、この状態でピン軸１６ｆが長孔１１ａの下縁部に係合する位置関係となるように設定されてる。そして、この状態から、前記シリンダ装置１３のシリンダ１３ａの作動に基づいてスライド部材１１を矢印Ｘ方向に移動させ、作動アーム段差部１６ｄを牽引すると、作動アーム１６は、ピン軸１６ｆが長孔内を上下に移動しながら支軸１６を支点とする状態で揺動し、これに伴い、ルーバー羽根１５は、水平姿勢から次第に下方揺動して開放姿勢となるように設定されている。さらに、作動アーム１６が牽引されて略９０度の揺動をした場合、図６（Ｂ）に示すように、段差部１６ｄは左上方向を向くように変位し、これに伴い羽根本体１５ａは略垂直姿勢となって、空隙部を全開とする全開姿勢に変姿する設定となっている。因みに、長孔１１ａの孔ストロークは、作動アーム１６の揺動に伴い円弧を描くようにして移動するピン軸１６ｆの上下方向の移動ストロークに設定されている。
【００１２】
ところで、ルーバー羽根１５は、固定部材１４に支持される支軸１７を支点として上下揺動する構成であるため、折曲部１５ｃおよび軸承部１５ｄが固定部材１４に近接対向はしても、固定部材１４に当接するように構成することはできない。このため、ルーバー羽根１５の閉鎖姿勢において、固定部材１４とルーバー羽根１５の長手方向両端部とのあいだにどうしても隙間が生じることになるが、本実施の形態のルーバー羽根１５は、羽根本体１５ａの長手方向両側部に位置して、リブ片１５ｂ、折曲部１５ｃ、軸承部１５ｄの端部よりも縦枠材６側（外側）に伸長する状態で封止部１５ｇが一体形成されている。そして、ルーバー羽根１５が閉鎖姿勢に変姿揺動した場合に、該封止部１５ｇの先端縁部が、固定部材１４の突片１４ｂに嵌装された第一シール材１４ｃの下面に下側から当接する設定となっており、これによって、ルーバー羽根１５の閉鎖姿勢において、縦枠材６とルーバー羽根１５の長手方向端部とのあいだに隙間が形成されないように設定されている。因みに、図８に示すように、ルーバー羽根１５の開閉揺動の過程において、折曲部１５ｃ、シールラインとなる固定部材突片１４ｂに嵌装される第一シール材１４ｃの下面に干渉するが、羽根本体１５ａ自体の端部が前記シールラインＳに干渉することはない。
【００１３】
また、隣接するルーバー羽根１５は、縦方向一端縁部となる折曲部１５ｃと、他端縁部となる羽根本体１５ａの他端縁部とが積層する状態で閉鎖する寸法設定となっているが、前記折曲部１５ｃの下側面（リブ片１５ｂが突出する一側方の面とは逆側の面）には下方が開口する凹溝部１５ｈが形成され、該凹溝部１５ｈには、下面が羽根本体１５ａの上面（前記一側方面であってリブ辺１５ｂが突出する側の面）と略面一となる状態で第二シール材１８が配されている。これによって、ルーバー羽根１５の閉鎖姿勢において、ルーバー羽根１５同志のあいだが第二シール材１８によりシールされ、隙間が形成されないように設定されている。
さらに、前述したように、羽根本体１５ａの長手方向両端部に延設された封止部１５ｇは、折曲部１５ｃが延設されていないため、隣接する封止部１５ｇ同志のあいだを第二シール材１８により封止することができないが、本実施の形態のものでは、封止部１５ｇの他端縁部側にシール材嵌合部１５ｊが形成され、ここに第三シール材１９が嵌装されている。これによって、ルーバー羽根１５の閉鎖した状態で、隣接するルーバー羽根封止部１５ｇ同志のあいだを第三シール材１９がシールする設定となっている。
【００１４】
叙述の如く構成された本発明の実施の形態において、屋根部に配されたトップライト１により自然光が室内に自由に入射できるものであるが、トップライト１に併設される可動式ルーバー装置Ｒを操作して採光板１０の下方に設けたルーバー羽根１５を所望の開放姿勢となるべく適宜揺動変姿を行うことで、自然光の入射量を自由に調整できることになる。
さらにこのものでは、ルーバー羽根１５を閉鎖姿勢にした場合、ルーバー羽根１５と縦枠材６とのあいだは、羽根本体１５ａに形成される封止部１５ｇが第一シール材１４ｃを介して固定部材突片１４ｂに当接することになって該部位の隙間が封止される。さらに、隣接するルーバー羽根１５同志のあいだは、縦方向一端縁部の折曲部１５ｃに嵌装された第二シール材１８が介装されるうえ、封止部１５ｇにおいては縦方向他端縁部に嵌装された第三シール材１９が介装されることになって、ルーバー羽根１５同志のあいだの隙間が封止される。
【００１５】
このように、本発明が実施された可動式ルーバー装置Ｒは、ルーバー羽根１５による採光量の調整ができることは勿論であり、ルーバー羽根１５が閉鎖姿勢となった場合では、ルーバー羽根１５同志のあいだが第二、第三シール材１８、１９を用いて封止されるうえ、ルーバー羽根１５と縦枠材６とのあいだに形成される隙間も第一シール材１４ｃを用いて封止されることになって、高度な封止性（遮蔽性）を確保できる。この結果、室内を自然採光状態にしたり該自然光を遮断状態にしたりすることを自由に切換えできて、室内を多目的な用途で使用することが可能となり、建築物の付加価値を一層高めることができる。
【図面の簡単な説明】
【図１】ルーバー装置付トップライトの平面図である。
【図２】ルーバー装置の要部斜視図である。
【図３】ルーバー装置付トップライトの縦断面図である。
【図４】ルーバー装置付トップライトの縦断面図である。
【図５】ルーバー装置付トップライトの横断面図である。
【図６】図６（Ａ）、（Ｂ）はそれぞれルーバー羽根の閉鎖姿勢を示す側面図、全開姿勢を示す側面図である。
【図７】ルーバー羽根の取付け状態を示す要部断面側面図である。
【図８】ルーバー羽根の開閉作動過程を示す側面図である。
【符号の説明】
１    トップライト
２    グローブ
４    構造体
５    ファスナー
６    縦枠材
７    基部
７ａ    係合支持片
８    方立部
８ｃ    スライダー支持片
９    横枠材
１０    採光板
１１    スライド部材
１１ａ    長孔
１４    固定部材
１４ｃ    第一シール材
１５    ルーバー羽根
１５ｇ    封止部
１６    作動アーム
１７    支軸
１８    第二シール材
１９    第三シール材
Ｒ    可動式ルーバー装置
【図１】
0003574962.tif 000002
【図２】
0003574962.tif 000003
【図３】
0003574962.tif 000004
【図４】
0003574962.tif 000005
【図５】
0003574962.tif 000006
【図６】
0003574962.tif 000007
【図７】
0003574962.tif 000008
【図８】
0003574962.tif 000009